(57)【要約】【課題】ごく軽い「尿漏れ」に悩む比較的若い世代の男性でも、周りの人に気付かれることなく、また、抵抗感なく着用でき、しかも水分が容易に身生地に滲んだりズボンに滲んだりすることがない下着を提供する。【解決手段】左右前身頃２，３と後身頃と前マチ部とを備え、前マチ部に横長の排尿用の開口が形成されている下着で、前マチ部に下側マチ部１２と上側マチ部１１を備えるとともに、下側マチ部１２の上縁側と上側マチ部１１の下縁側とで排尿用の開口が形成されるように、下側マチ部１２の上縁側に上側マチ部１１の下縁側が反肌側から重畳するように配置され、左右側部の一部が身生地に縫着されること無く遊離する状態で、下側マチ部１２の肌側面の上縁１２ａから下縁１２ｂにかけて第１吸水生地片１４が配置され、第１吸水生地片１４により尿滲みが防止され、第１吸水生地片１４の横幅が、少なくとも下側マチ部１２の横幅以上の長さに形成されている。【選択図】図１
2015209612.tif 000002
【特許請求の範囲】
【請求項１】
左右前身頃と後身頃と前マチ部とを備え、前記前マチ部に横長の排尿用の開口が形成されている下着であって、
前記前マチ部に下側マチ部と上側マチ部を備えるとともに、前記下側マチ部の上縁側と前記上側マチ部の下縁側とで前記排尿用の開口が形成されるように、前記下側マチ部の上縁側に前記上側マチ部の下縁側が反肌側から重畳するように配置され、
側部の一部が身生地に縫着されることの無い状態で、前記下側マチ部の肌側面の上縁から下縁にかけて第１吸水生地片が配置され、前記第１吸水生地片により尿滲みが防止される下着。
【請求項２】
前記第１吸水生地片の側部が身生地と遊離している請求項１記載の下着。
【請求項３】
前記第１吸水生地片の側部が身生地と接着剤で接合されている請求項１記載の下着。
【請求項４】
前記第１吸水生地片の横幅が、少なくとも前記下側マチ部の横幅以上の長さに形成されている請求項１から３の何れかに記載の下着。
【請求項５】
前記第１吸水生地片が、熱変形性弾性糸とそれ以外の糸をプレーティング編みで編成し、ヒートセット加工で前記熱変形性弾性糸を熱変形させることによりほつれ止め加工した編地で構成され、端縁が切りっ放し処理されている請求項１から４の何れかに記載の下着。
【請求項６】
前記第１吸水生地片の下方側部を鼠蹊部に対応する部分へと延出するように第２吸水生地片が配置され、前記第２吸水生地片により尿滲みが防止される請求項１から５の何れかに記載の下着。
【請求項７】
前記第１吸水生地片と前記第２吸水生地片が別生地で構成され、前記第１吸水生地片と前記第２吸水生地片とが前記身生地から遊離した状態で接合されている請求項６記載の下着。
【請求項８】
前記第１吸水生地片の反肌側面が撥水加工されている請求項１から７の何れかに記載の下着。
【請求項９】
前記上側マチ部の下縁が、水平線を基準として上方に凹に形成されている請求項１から８の何れかに記載の下着。
【発明の詳細な説明】
【技術分野】
【０００１】
本発明は、左右前身頃と後身頃と前マチ部とを備え、前記前マチ部に横長の排尿用の開口が形成されている下着に関し、特に軽度の尿漏れに対応可能な下着に関する。
【背景技術】
【０００２】
一般に、男性は加齢とともに筋力の低下や前立腺肥大等によって排尿時の尿切れが悪くなり、尿道に溜まった尿が下着の中で漏れる「尿漏れ」があることが知られている。そして、比較的若い世代でも、「尿漏れ」に悩んでいる人が意外に多く、漏れた尿がズボンに滲みだす場合もあり、その対策が望まれている。
【０００３】
特許文献１には、排尿用開き口を左右何れの手でも容易に開くことができ、尿等の水分の吸水範囲を広くした老齢者用の失禁用下着を提供することを目的として、上下に配置した２枚の生地の一部を重ね合わせることにより、下着本体の腹部に下向きの排尿用開き口を形成し、吸水部材を、腹部をなす２枚の生地の重ね合わせ部分の裏側から股部にわたり、下着本体の裏面に沿って止着できる長さに形成した失禁用下着が提案されている。
【先行技術文献】
【特許文献】
【０００４】
【特許文献１】特開平１１‐３３５９０３号公報
【発明の概要】
【発明が解決しようとする課題】
【０００５】
しかし、特許文献１に記載された下着は、吸水部材として防水性生地の内面側に水分を含有しやすい吸水性生地を重ね合わせた多層構造の厚手の吸収シートを身生地に止着するために、ごわつき感が生じる等履き心地に難があり、また当該下着を装着していることが外衣から認識され易いことから心理的な抵抗感が強く、軽度な尿失禁に悩む３０代から５０代の比較的若い世代の男性にとって容易に使用できるものではなく、より自然な履き心地で、且つ、外観上容易に判明しない形態の下着が望まれていた。
【０００６】
本発明の目的は、上述した問題に鑑み、ごく軽い「尿漏れ」に悩む比較的若い世代の男性でも、周りの人に気付かれることなく、また、抵抗感なく着用でき、しかも水分が容易に身生地に滲んだりズボンに滲んだりすることがない下着を提供する点にある。
【課題を解決するための手段】
【０００７】
上述の目的を達成するため、本発明による下着の第一の特徴構成は、特許請求の範囲の書類の請求項１に記載した通り、左右前身頃と後身頃と前マチ部とを備え、前記前マチ部に横長の排尿用の開口が形成されている下着であって、前記前マチ部に下側マチ部と上側マチ部を備えるとともに、前記下側マチ部の上縁側と前記上側マチ部の下縁側とで前記排尿用の開口が形成されるように、前記下側マチ部の上縁側に前記上側マチ部の下縁側が反肌側から重畳するように配置され、側部の一部が身生地に縫着されることの無い状態で、前記下側マチ部の肌側面の上縁から下縁にかけて第１吸水生地片が配置され、前記第１吸水生地片により尿滲みが防止される点にある。
【０００８】
上述の構成によれば、利き手が何れであっても左右何れか一方の手指で上側マチ部の下縁側を引き上げるとともに下側マチ部の上縁側を引き下げることにより、極めて容易に排尿用の開口を大きく開けることができ、容易く男性器の尿道を便器に向けて案内できるようになる。そして、排尿の後に男性器を下着内部に収容する際に、尿道に残った僅かの尿が尿道口から漏れ出ても、下側マチ部の上縁から下縁にかけて配置された第１吸水生地片で速やかに吸収されるので尿が身生地に浸潤することがなく、従ってズボンに尿滲みができるようなことがない。
【０００９】
さらに、第１吸水生地片と身生地との間に空気層が形成されるので、第１吸水生地片にある程度の量の尿が吸収された場合でも容易に身生地に滲み出すようなことがなく、第１吸水生地片の側部から当該空気層に空気が通流することによって第１吸水生地片が比較的速やかに乾燥するようになる。また、仮に第１吸水生地片の側部全域が身生地に縫着されていると、第１吸水生地片に吸収された尿が縫着時の縫い糸を伝って身生地へ滲出する虞が生じるが、第１吸水生地片の側部の一部が身生地に縫着されることの無い状態で配置されているので、第１吸水生地片から身生地への尿の滲出を効果的に抑止することができるようになる。
【００１０】
同第二の特徴構成は、同請求項２に記載した通り、上述の第一の特徴構成に加えて、前記第１吸水生地片の側部が身生地と遊離している点にある。
【００１１】
第１吸水生地片の側部が身生地から遊離していると、身生地との間で空気の通流が促進されるので吸水された尿がより速やかに乾燥するようになり、また身生地の動きに制約されることがなく、下着内で尿道口付近と接触し易く、漏れた尿を速やかに吸収できるようになり、第１吸水生地片から身生地への尿の滲出を効果的に抑止することができるようになる。
【００１２】
同第三の特徴構成は、同請求項３に記載した通り、上述の第一の特徴構成に加えて、前記第１吸水生地片の側部が身生地と接着剤で接合されている点にある。
【００１３】
第１吸水生地片の側部が身生地に接着剤によって接合されていると、第１吸水生地片に吸収された尿が身生地に縫着された縫い糸を伝って身生地へ滲出するようなことが無いので、第１吸水生地片から身生地への尿の滲出を効果的に抑止することができるようになる。
【００１４】
同第四の特徴構成は、同請求項４に記載した通り、上述の第一から第三の何れかの特徴構成に加えて、前記第１吸水生地片の横幅が、少なくとも前記下側マチ部の横幅以上の長さに形成されている点にある。
【００１５】
排尿後に男性器を下着に収容する際に、尿道口の位置が下着の開口部の左右端部からさらに左右に大きく離隔するようなことは殆どなく、仮にその際に不意に尿漏れが生じても、開口部の横幅以上の長さに形成された第１吸水生地片で尿道口がほぼ確実に覆われるので、尿が身生地に直接漏れ出すことが回避できるようになる。
【００１６】
同第五の特徴構成は、同請求項５に記載した通り、上述の第一から第四の何れかの特徴構成に加えて、前記第１吸水生地片が、熱変形性弾性糸とそれ以外の糸をプレーティング編みで編成し、ヒートセット加工で前記熱変形性弾性糸を熱変形させることによりほつれ止め加工した編地で構成され、端縁が切りっ放し処理されている点にある。
【００１７】
吸水性の生地片として、このようなほつれ止め加工を施した編地を採用すれば、洗濯を繰り返しても切りっ放し処理された端部から繊維がほつれるようなことが無く、見栄えの悪化を招くことが無い。また、例えば端部を折り返して縫着するような従来のほつれ止め加工が不要になるので、第１吸水生地片、特に端部の厚み等に起因する肌触りの悪化による不快感を招くことがなく、肌に優しい下着が提供できるようになる。
【００１８】
同第六の特徴構成は、同請求項６に記載した通り、上述の第一から第五の何れかの特徴構成に加えて、前記第１吸水生地片の下方側部を鼠蹊部に対応する部分へと延出するように第２吸水生地片が配置され、前記第２吸水生地片により尿滲みが防止される点にある。
【００１９】
尿漏れの量が多くなって、第１吸水生地片で速やかに吸収できずに尿が第１吸水生地片を伝うような場合でも、第１吸水生地片の下方側部から鼠蹊部に延出配置された第２吸水生地片によって余剰の尿が吸収されるようになるので、身生地やズボンに滲出するようなことが回避できるようになる。
【００２０】
同第七の特徴構成は、同請求項７に記載した通り、上述の第六の特徴構成に加えて、前記第１吸水生地片と前記第２吸水生地片が別生地で構成され、前記第１吸水生地片と前記第２吸水生地片とが前記身生地から遊離した状態で接合されている点にある。
【００２１】
第１吸水生地片と第２吸水生地片を同一生地で構成すると、生地を効率的に裁断することが困難になり裁断後に無駄な端切れが多く発生する虞がある。しかし、両生地辺を別生地で構成すると、裁断後に無駄な端切れの発生を抑制するように効率的に裁断できるようになる。そして、第１吸水生地片と第２吸水生地片が身生地から遊離した状態で接合されているので、身生地との間に空気層が形成されるようになり、仮に第１吸水生地片と第２吸水生地片が縫着によって接合される場合でも、第１吸水生地片或いは第２吸水生地片で吸収された尿が、当該接合部を通って身生地に滲出するような事態を軽減できるようになる。
【００２２】
同第八の特徴構成は、同請求項８に記載した通り、上述の第一から第七の何れかの特徴構成に加えて、前記第１吸水生地片の反肌側面が撥水加工されている点にある。
【００２３】
第１吸水生地片で吸収された尿が撥水加工された反肌側面で撥水され、仮に第１吸水生地片が薄手の生地で構成されている場合でも、身生地側に浸潤することを効果的に抑制できるようになる。
【００２４】
同第九の特徴構成は、同請求項９に記載した通り、上述の第一から第八の何れかの特徴構成に加えて、前記上側マチ部の下縁が、水平線を基準として上方に凹に形成されている点にある。
【００２５】
排尿用の開口を手指で開ける際に、上側マチ部に凹状に形成された下縁を僅かに持ち上げると、直ちに下側マチ部の上縁側が露出するので、片方の手指で速やか且つ容易に排尿用の開口を開けることができるようになる。
【発明の効果】
【００２６】
以上説明した通り、本発明によれば、ごく軽い「尿漏れ」に悩む比較的若い世代の男性でも、周りの人に気付かれることなく、また、抵抗感なく着用でき、しかも水分が容易に身生地に滲んだりズボンに滲んだりすることがない下着を提供することができるようになった。
【図面の簡単な説明】
【００２７】
【図１】（ａ）は本発明による下着の一例であるボクサーパンツの正面表側から視た説明図、（ｂ）は同正面裏側から視た説明図、（ｃ）は同着用状態を示す説明図
【図２】は排尿用の開口を開く動作の説明図
【図３】は本発明による下着の一例であるボクサーパンツを構成する裁断生地の説明図
【図４】（ａ），（ｂ），（ｃ）はそれぞれ別実施形態を示し、第１吸水生地片の他に第２吸水生地片を配置したボクサーパンツを正面裏側から視た説明図
【図５】（ａ），（ｂ）はそれぞれ別実施形態を示し、上側マチ部の下縁の形状を変更したボクサーパンツの正面視の説明図
【発明を実施するための形態】
【００２８】
以下、本発明による下着の一例であるボクサーパンツを図面に基づいて説明する。
図１（ａ）及び図３に示すように、ボクサーパンツ１は、左右の前身頃２，３と後身頃７と、上側マチ部１１と下側マチ部１２からなる略台形状の前マチ部と腰ゴム４とを備えて構成されている。
【００２９】
前身頃２，３と後身頃７とが左右の脇で縫着されるとともに、前マチ部１１，１２が着用者の下腹部中心に位置するように、前マチ部１１，１２の左右端部が前身頃２，３の腹部側端部に縫着されている。さらに、前身頃２，３及び後身頃７の上端側の胴部に腰ゴム４が縫着され、下端側に左右の脚部を挿入する裾部５，６が形成されている。尚、左右の前身頃２，３と後身頃７とが一枚の編地で一体に構成されていてもよい。
【００３０】
図１（ａ）及び図２に示すように、下側マチ部１２の上縁１２ａ側と上側マチ部１１の下縁１１ｂ側とで上下に開く横長の排尿用の開口１３が形成されている。そして、下側マチ部１２の中央下方には縦長のダーツ１２ｄが形成され、これにより男性器を収容する膨出部が形成されている。
【００３１】
このような排尿用の開口１３であれば、利き手が何れであっても左右何れか一方の手指で上側マチ部１１の下縁１１ｂ側を引き上げるとともに下側マチ部１２の上縁１２ａ側を引き下げることにより、極めて容易に排尿用の開口を大きく開けることができ、その後他方の手で容易に男性器の尿道を便器に向けて案内できるようになる。
【００３２】
本実施形態のように、上側マチ部１１の下縁１１ｂが、水平線を基準として上方に凹に形成されていることが好ましく、排尿用の開口１３を手指で開ける際に、上側マチ部１１に凹状に形成された下縁１１ｂを僅かに持ち上げると、直ちに下側マチ部１２の上縁側１２ａが露出するので、片方の手指で速やかに且つ容易に排尿用の開口を開けることができるようになる。
【００３３】
図１（ｂ）は、ボクサーパンツ１の裏側（肌側）の構成が示されている。当該ボクサーパンツ１は、排尿後に若干の尿漏れが生じても身生地や外衣となるズボンへの尿滲みの発生を防止するために、側部の一部が身生地２，３，１１，１２に縫着されることの無い状態で、下側マチ部１２の肌側面の上縁１２ａから下縁１２ｂにかけて略台形状の第１吸水生地片１４が配置されている。第１吸水生地片１４は、図１（ｂ）中、ハッチングで示されている部位である。
【００３４】
具体的に、第１吸水生地片１４の上縁及び下縁が下側マチ部１２の上縁１２ａ及び下縁１２ｂにそれぞれ縫着されるとともに、第１吸水生地片１４の側部１４ｃのうち上端から上側マチ部１１の下縁１１ｂとの交差部までの間が縫着され、当該交差部から下側マチ部１２の下縁１２ｂまでの間（図１（ｂ）中、一点鎖線で示される範囲）が身生地２，３，１１，１２と縫着されることなく遊離している。尚、第１吸水生地片１４の側部１４ｃの全長に亘って身生地２，３，１１，１２と遊離していてもよいし、一部が遊離していてもよい。
【００３５】
排尿の後に男性器をボクサーパンツ１に収容する際に、尿道に残った僅かの尿が尿道口から漏れ出ても、第１吸水生地片１４で速やかに吸収されるので尿が身生地２，３，１１，１２に浸潤することがなく、従ってズボンに尿滲みができるようなこともない。従って、第１吸水生地片１４の側部１４ｃのうち尿道口から漏れ出た尿が主に吸収される領域の側部１４ｃが身生地に縫着されることの無い状態であればよい。
【００３６】
そして、第１吸水生地片１４の遊離側部が身生地から遊離しているため、身生地の動きに制約されることがなく、ボクサーパンツ１内で尿道口付近と接触し易く、漏れた尿を速やかに吸収できるようになる。
【００３７】
また、第１吸水生地片１４と身生地との間に空気層が形成されるので、第１吸水生地片１４にある程度の量の尿が吸収された場合でも容易に身生地に滲み出すようなことがなく、歩行等、着用者の下半身の動きによって第１吸水生地片１４の側部から当該空気層に空気が通流し、第１吸水生地片１４が速やかに乾燥するようになる。
【００３８】
さらに、仮に第１吸水生地片１４の側部１４ｃが身生地に縫着されていると、第１吸水生地片１４に吸収された尿が縫着時の縫い糸を伝って身生地へ極めて容易に滲出する虞があるが、第１吸水生地片１４の側部１４ｃが身生地から遊離しているので、第１吸水生地片１４から身生地への尿の滲出を効果的に抑止することができるようになる。
【００３９】
第１吸水生地片１４の横幅は、少なくとも下側マチ部１２の横幅以上の長さに形成されていることが好ましく、本実施形態では下側マチ部１２の横幅と略同じ長さに形成されている。
【００４０】
排尿後に男性器をボクサーパンツ１に収容する際に、尿道口の位置がボクサーパンツ１の開口１３の左右端部からさらに左右に大きく離隔するような姿勢になることは殆どなく、漏れた尿をほぼ確実に第１吸水生地片１４で吸収できるようになるので、尿が身生地に直接漏れ出すような状況を回避することができるようになる。
【００４１】
第１吸水生地片１４の下方にも、下側マチ部１２のダーツ１２ｄに対応する位置、つまり下方中央に上下方向に男性器を収容する膨出部となるダーツ１４ｄが形成されている。下側マチ部１２のダーツ１２ｄと第１吸水生地片１４のダーツ１４ｄは別々に形成され、互いに遊離しているので、身生地との間に空気層が形成されるようになり、仮に第１吸水生地片１４のダーツ１４ｄが縫着によって形成される場合でも、第１吸水生地片１４で吸収された尿が当該ダーツ１４ｄから身生地に滲出するような事態を軽減できるようになる。
【００４２】
身頃２，３，７及びマチ部１１，１２となる身生地を編成する原糸として綿等の天然繊維が好適に用いられる。また、天然繊維以外に、キュプラ、ビスコースレーヨン等の再生セルロース繊維、吸水性加工されたポリエステル等の合成繊維等、吸水性を有する極細繊維を用いることができ、また、編地としてフライス編みやスムース編み、更には天竺編み等の緯編地や、ラッセル編み等の経編地が好適に用いられる。また、ポリウレタン等の弾性糸を地組織に編成することにより、伸縮性に富んだ下着が得られる。身生地に緯編地を用いる場合には、コース方向が胴周りに沿うように、そしてウェール方向が上下に沿うように用いられることが好ましい。
【００４３】
さらにほつれ止め加工した編地を用いることも可能で、その場合には脚部５，６側エッジを切りっ放し処理すればよく、縫製等の特別のほつれ止め処理を行なう必要は無い。
【００４４】
第１吸水生地片１４は、肌触りがよく吸水性に優れたセルロース繊維またはセルロース繊維を含む混紡糸を用いた編地が好適に用いられるが、これに限るものではなく、吸水性を備えた糸であれば他の種類の糸を使用することも可能であり、特にセルロース繊維に制限されるものではない。要求される吸水性能を確保するために、繊度や編組織を適宜組み合わせることができる。編組織として上述したフライス編み、スムース編み、天竺編み等の緯編地や、ハーフ・トリコット編み、ダブル・トリコット編みにより編成された経編地を用いることも可能である。
【００４５】
第１吸水生地片１４に緯編地を用いる場合には、身生地と同様にコース方向が左右に沿うように、そしてウェール方向が上下に沿うように用いられることが好ましい。
【００４６】
また、身生地と同様、ほつれ止め加工した編地を用いることも好ましい。ほつれ止め加工した編地とは、熱変形性弾性糸とそれ以外の糸をプレーティング編みで編成し、ヒートセット加工で熱変形性弾性糸を溶融等熱変形させることによりほつれ止め機能を備えた編地である。洗濯を繰り返しても切りっ放し処理された端部から繊維がほつれるようなことが無く、見栄えの悪化を招くことが無いという利点がある。
【００４７】
プレーティング編みは、添え糸編みともいい、既存の編成方法を採用することができる。例えば複数本の糸をそれぞれ別の給糸口から、編み針に給糸する編成方法を用いると編成ループそれぞれの糸の配置が安定的に定まるため、特に好ましい。従って、熱変形性弾性糸とそれ以外の糸とを別の給糸口から編み針に給糸して編み立てられたプレーティング編地は、各編成ループにおける熱変形性弾性糸とそれ以外の糸との配置が安定しているため、全てのループに熱変形性弾性糸を隣接させることができ、ヒートセット加工等により熱変形性弾性糸を熱変形させれば、編地の全てのループで確実にほつれ止め機能が実現できるようになる。
【００４８】
本実施形態では、第１吸水生地片１４は、熱変形性弾性糸に低融点ポリウレタン弾性糸、それ以外の糸に綿糸とレーヨンの混紡糸が選択され、フライス編みまたはスムース編みで編成された編地で構成され、ヒートセット加工等により低融点ポリウレタン弾性糸が溶融して互いに融着することで、ほつれ止め機能が実現されている。
【００４９】
吸水性の生地片として、このようなほつれ止め加工を施した編地を採用すれば、洗濯を繰り返しても切りっ放し処理された端部から繊維がほつれるようなことが無く、見栄えの悪化を招くことが無い。また、例えば端部を折り返して縫着するような従来のほつれ止め加工が不要になるので、第１吸水生地片、特に端部の厚み等に起因する肌触りの悪化による不快感を招くことがなく、肌に優しい下着が実現できる。
【００５０】
熱変形性弾性糸として低融点ポリウレタン弾性糸のような熱融着性弾性糸を用いる以外に、ポリウレタンウレア弾性繊維を用いることも可能である。ヒートセット加工等の加熱加工によりポリウレタンウレア弾性繊維同士またはポリウレタンウレア弾性繊維と相手糸との接触点でポリウレタンウレア弾性繊維の圧縮変形が発生し、ポリウレタンウレア弾性繊維同士またはポリウレタンウレア弾性繊維への相手糸の固着が生じるため、編地からポリウレタンウレア弾性繊維や相手糸が抜けにくくなり、カールやほつれが抑制された編地を得ることができる。つまり、加熱処理により溶融し或いは圧縮変形するような特性を備えた熱変形性弾性糸であればこれらに限るものではない。
【００５１】
第１吸水生地片１４の反肌側面には撥水加工が施されていることが好ましい。例えばフッ素やシリコンを主成分とする加工薬剤を用いた撥水加工によって、着用者の肌に悪影響を与えることなく身生地、さらにはズボンへの尿の滲出を防止することができる。ローラー捺染やスクリーン捺染、インクジェットプリント等の捺染手段により、ほつれ止め防止生地の片面にも撥水加工を容易に施すことができる。
【００５２】
第１吸水生地片１４の肌側面で吸収された尿が撥水加工された反肌側面で撥水され、仮に第１吸水生地片１４が薄手の生地で構成されている場合でも、身生地側に浸潤することを効果的に抑制できるようになる。
【００５３】
捺染による撥水加工は、第１吸水生地片１４の片面の面積に対し５０〜１００％に施されていることが好ましく、５５〜９５％に施されていることがさらに好ましく、６０〜９０％に施されていることが特に好ましい。第１吸水生地片１４の片面の面積に対して、捺染による撥水加工が５０％未満では、ズボンへの尿の滲出を防止するための撥水性が不足する不具合があり、ズボンへの尿の滲出を防止するためには、撥水加工が施された面積が広い程有効である。また、第１吸水生地片１４の片面の面積に対して、捺染による撥水加工が９５％以下、特に好ましくは９０％以下であると、着用快適性の点で好ましい。
【００５４】
撥水加工は、上述の捺染手段以外の手段（例えば、スプレー式）を用いて行なってもよく、使用する薬剤もフッ素またはシリコンを主成分とするものに限定されない。その際も、第１吸水生地片１４の５０％以上に撥水加工が施されているのが好ましい。
【００５５】
第１吸水生地片１４は、消臭・抗菌加工されていることがさらに好ましく、吸収された尿の臭いが消臭機能によって消臭され、長時間快適な状態を維持することができる。
【００５６】
例えば、特許第３７８７６７５号に開示されているように、原糸となる繊維をキトサン及び／または修飾キトサン、カルボン酸ポリマー、酸化亜鉛及びバインダー樹脂を含む処理液で処理し、これらの被覆層が形成された繊維を用いればよい。
【００５７】
以下、本発明の別実施形態を説明する。
図４（ａ），（ｂ）に示すように、第１吸水生地片１４の下方側の左右側部に、着用者の鼠蹊部に対応する部分へと吸水生地が延出するように第２吸水生地片１５が配置されていてもよい。
【００５８】
尿漏れの量が多くなって、第１吸水生地片１４のみで速やかに吸収できずに尿が第１吸水生地片１４を伝うような場合でも、第１吸水生地片１４の下方側部から鼠蹊部に延出配置された第２吸水生地片１５によって余剰の尿が吸収されるようになる。
【００５９】
第１吸水生地片１４と第２吸水生地片１５とが一枚の生地で構成されていても、別生地で構成されていても、何れでもよい。
【００６０】
図４（ａ）には、第１吸水生地片１４と第２吸水生地片１５とが一枚の生地で構成された態様が示されている。第１吸水生地片１４と第２吸水生地片１５が別生地で構成されている場合、それら間を縫着等によって接合処理するための工程が必要になるばかりか、縫着部の縫い糸から身生地側に尿が滲出する虞があるが、それらが一枚の生地で構成されていれば、製造工程の簡素化によるコストの低減を図ることができ、しかも縫着された縫い糸部位から尿が身生地側へ滲出するようなことも回避できるようになる。
【００６１】
図４（ｂ）には、第１吸水生地片１４と第２吸水生地片１５とが別生地で構成された態様が示されている。第１吸水生地片１４と第２吸水生地片１５が同一生地で構成されている場合、生地を効率的に裁断することが困難になり裁断後に無駄な端切れが多く発生する虞があるが、両生地片を別生地で構成すると、裁断後に無駄な端切れの発生を抑制するように効率的に裁断できるようになる。尚、第２吸水生地片１５の遊離縁部の形状は特に限定されることはなく、直線状であってもよいし、図中破線で示すような曲線状であってもよい。
【００６２】
何れの場合でも、身生地との間に空気層が形成されるように、第１吸水生地片１４及び第２吸水生地片１５が身生地から遊離した状態で配置されていることが好ましく、第１吸水生地片１４と第２吸水生地片１５が縫着によって接合される場合でも、接合部が身生地と遊離しているので、第１吸水生地片１４或いは第２吸水生地片１５で吸収された尿が、当該接合部を通って身生地に滲出するような事態を軽減できるようになる。
【００６３】
第１吸水生地片１４と第２吸水生地片１５とが接着剤による接着層を介して接合されていると、少なくとも第１吸水生地片１４と第２吸水生地片１５との接合部１５ｅで吸水生地片が二層に形成されるようになり、縫い糸から尿が滲出する虞がある縫着処理と比較して、当該接合部から身生地側へ尿が滲出するようなことが効果的に抑制できるようになる。
【００６４】
例えば、第１吸水生地片１４と第２吸水生地片１５との接合部１５ｅにフィルム状またはリキッド状のホットメルト接着剤を介在させてアイロン等の加熱具で加熱加圧することでホットメルト接着剤を溶融させ、その後、冷却・固化させることで両生地片が接合されるようになる。このような接着処理は、吸水生地片１４，１５を身生地に縫着する前の工程で行われる。
【００６５】
ホットメルト接着剤の例として、ポリウレタン系ホットメルト樹脂、ポリエステル系ホットメルト樹脂、ポリアミド系ホットメルト樹脂、ＥＶＡ系ホットメルト樹脂、ポリオレフィン系ホットメルト樹脂、スチレン系エラストマー、湿気硬化型ウレタン系ホットメルト樹脂、反応型ホットメルト樹脂等が挙げられる。
【００６６】
第１吸水生地片１４と同様に、第２吸水生地片１５も熱変形性弾性糸とそれ以外の糸をプレーティング編みで編成し、ヒートセット加工で前記熱変形性弾性糸を熱変形させることによりほつれ止め加工した編地で構成され、端縁が切りっ放し処理されていることが好ましい。また、第１吸水生地片１４と同様に、第２吸水生地片１５も反肌側面が撥水加工されていることが好ましい。
【００６７】
また、少なくとも第１吸水生地片１４に形成されたダーツ１４ｄは、上述と同様の接着剤を用いて第１吸水生地片１４の一部を接合することによって構成されていることが好ましく、縫い糸から尿が滲出する虞がある縫着処理と比較して、当該ダーツ１４ｄから身生地側へ尿が滲出するようなことが効果的に抑制できるようになる。しかも、仮に第１吸水生地片１４を二層に重ねて接着することによってダーツ１４ｄを形成する場合には、第１吸水生地片１４の厚み方向に縫い代ができる縫着処理と比較して生地の厚みを薄く保つことができるようになる。
【００６８】
図４（ｃ）に示すように、第２吸水生地片１５を着用者の鼠蹊部から内腿部に沿って裾部５，６まで延出させることで、さらに吸水容量及び吸水性能を向上させることができる。この場合にも、第２吸水生地片１５の側部１５ｃが身生地から遊離するように構成されていることが好ましく、また第１吸水生地片１４と第２吸水生地片１５が別生地で構成される場合には、第１吸水生地片と第２吸水生地片との接合部１５ｅが身生地から遊離するように構成されていることが好ましい。
【００６９】
裾部５，６がその端縁を折り返して縫着するほつれ止め処理されている場合には、第２吸水生地片１５の下縁１５ｂも裾部５，６に縫着することで、第２吸水生地片１５の身生地に沿った姿勢を維持することができる。身生地として上述のほつれ止め加工した編地が用いられる場合には、裾部５，６が切りっ放し処理されているために、第２吸水生地片１５の下縁１５ｂを裾部５，６に縫着することができないが、その場合には、上述したフィルム状またはリキッド状のホットメルト接着剤を用いて第２吸水生地片１５の下縁１５ｂを裾部５，６に接着処理することによって、第２吸水生地片１５の身生地に沿った姿勢を維持することができる。
【００７０】
既に、上側マチ部１１の下縁１１ｂが、水平線を基準として上方に凹に形成されていることが好ましい旨を説明したが、その凹部の具体的な形状は図１（ａ）に示したような円弧状に限らず、他の形状であってもよい。
【００７１】
例えば、図５（ａ），（ｂ）に示すように、上側マチ部１１の下縁１１ｂを、三角形状の凹部や、台形状の凹部に形成してもよく、開口１３を開ける際に上側マチ部１１の下縁１１ｂのうち、左右方向中央部に指先を円滑に案内でき、容易に引き上げることができればよい。
【００７２】
第１吸水生地片１４の側部１４ｃの長さを、身生地の対応する部位の長さよりも長くすることが好ましく、このような構成を採用すると第１吸水生地片１４の遊離端縁が身生地から浮き上がって肌側に接触しやすくなるため、尿道口の位置が変動してもその周囲を第１吸水生地片１４で捕捉することが容易になり、漏れた尿をより確実に吸収できるようになる。
【００７３】
上述した実施形態は、何れも側部の一部が身生地に縫着されることの無い状態で、下側マチ部の肌側面の上縁から下縁にかけて略台形状の第１吸水生地片が配置されたボクサーパンツとして、第１吸水生地片の側部の一部が身生地と遊離するように構成された態様を説明したが、本発明は、第１吸水生地片の側部の一部が身生地に縫着されることの無い状態であれば、身生地から遊離した態様に限るものではない。
【００７４】
例えば、第１吸水生地片の側部が身生地と接着剤で接合されている態様であってもよい。この場合も上述と同様に、第１吸水生地片の側部と身生地との間にフィルム状またはリキッド状のホットメルト接着剤を介在させてアイロン等の加熱具で加熱加圧することでホットメルト接着剤を溶融させ、その後、冷却・固化させることで両生地片を接合するように構成することができる。また、第１吸水生地片の側部の全域を接着する必要はなく、一部が身生地と遊離するように接着してもよい。さらに、洗濯等で発生した繊維くず等を当該遊離部から取り除くことができるように構成してもよい。
【００７５】
さらに上述した第２吸水生地片１５を着用者の鼠蹊部から内腿部に沿って裾部５，６まで延出させることも可能であり、この場合には上述の接着剤を介して第２吸水生地片の縁部を身生地に接着すればよい。
【００７６】
以上、ボクサーパンツを例に本発明による下着を説明したが、本発明による下着は、ボクサーパンツに限定されるものではなく、ブリーフやトランクス等の他の形態の下着にも適用でき、また身生地として編地以外に布帛を用いることも可能である。
【産業上の利用可能性】
【００７７】
本発明による下着は、軽い「尿漏れ」に悩む男性が、抵抗感無く日常的に着用できる快適な下着として、３０代以降の比較的若い世代に好適に提供できるようになる。
【符号の説明】
【００７８】
１：下着（ボクサーパンツ）
２，３：前身頃
４：腰ゴム
５，６：裾部
７：後身頃
１１：上側マチ部
１１ｂ：上側マチ部の下縁
１２：下側マチ部
１２ａ：下側マチ部の上縁
１２ｂ：下側マチ部の下縁
１２ｄ：下側マチ部のダーツ
１３：開口
１４：第１吸水生地片
１４ｃ：第１吸水生地片の側部
１４ｄ：第１吸水生地片のダーツ
１５：第２吸水生地片
１５ｂ：第２吸水生地片の下縁
１５ｃ：第２吸水生地片の側部
１５ｅ：第１吸水生地片と第２吸水生地片との接合部
【図１】
2015209612.tif 000003
【図２】
2015209612.tif 000004
【図３】
2015209612.tif 000005
【図４】
2015209612.tif 000006
【図５】
2015209612.tif 000007